(57)【要約】【課題】バスルーム等に設置されているシャワのシャワヘッドを保持する移動式のシャワヘッドホルダを提供することを課題としている。【解決手段】バスルーム１２内で固定場所を移動可能に載置されるベース１に、シャワヘッド９が着脱自在に装着されるホルダ４を取り付け、シャワヘッド９から湯水を噴出させた際に、湯水の反力に対して上記ベース１の移動を規制する固定手段を設けた。またホルダ４をベース１に対して上下揺動や旋回可能に取り付け、ホルダ４側とベース１側との間に、ホルダ４の位置を位置決めする揺動位置決め手段や旋回位置決め手段を設けた。【選択図】図１
2007146364.tif 000002
【特許請求の範囲】
【請求項１】
バスルーム（１２）内で固定場所を移動可能に載置されるベース（１）と、該ベース（１）に取り付けられ、シャワヘッド（９）が着脱自在に装着されるホルダ（４）とを備え、シャワヘッド（９）から湯水を噴出させた際に、湯水の反力に対して上記ベース（１）の移動を規制する固定手段を備えてなる移動式のシャワヘッドホルダ。
【請求項２】
ホルダ（４）をベース（１）に対して上下揺動自在に取り付け、ホルダ（４）側とベース（１）側との間に、ホルダ（４）の揺動位置を位置決めする揺動位置決め手段を設けた請求項１の移動式のシャワヘッドホルダ。
【請求項３】
ホルダ（４）をベース（１）に対して旋回可能に取り付け、ホルダ（４）側とベース（１）側との間に、ホルダ（４）の旋回位置を位置決めする旋回位置決め手段を設けた請求項１の移動式のシャワヘッドホルダ。
【請求項４】
ベース（１）とホルダ（４）のユニットが、湯を張った浴槽（１１）内に、浴槽（１１）の底面にベース（１）が接するように沈む重量を備え、固定手段が浴槽（１１）内においてシャワヘッド（９）から湯水を噴出させた際に上記ベース（１）の移動を規制する手段である請求項１又は２又は３の移動式のシャワヘッドホルダ。
【発明の詳細な説明】
【技術分野】
【０００１】
本発明は、バスルーム等に設置されているシャワのシャワヘッドを保持する移動式のシャワヘッドホルダに関する。
【背景技術】
【０００２】
従来シャワが設置されたバスルームとしてユニットバスが知られている。該ユニットバス内には、シャワヘッドを係止するシャワヘッドホルダが設けられている。一般的にはバスルームの壁に１つ又は上下に複数（多くは２箇所）のシャワヘッドホルダが固定されている。シャワの利用者はシャワの使用状況に応じてシャワヘッドを任意のシャワヘッドホルダに係止してシャワを使用する。
【０００３】
一方シャワの利用者の体形やシャワの使用状況によっては、シャワヘッドの係止位置が、必ずしも適切とはならない場合も多い。これに対して、上下方向の支柱に、スライド可能にシャワヘッドホルダを取り付け、シャワヘッドホルダの上下位置を支柱の全長の範囲内で無段階に調節することができるものが公知となっている（例えば特許文献１参照）。
【特許文献１】特開２００２−１９４７８６号公報
【発明の開示】
【発明が解決しようとする課題】
【０００４】
上記特許文献１のシャワヘッドホルダは、係止されるシャワヘッドの位置を上下に調節することはできるが、その他の方向への調節は行うことができない。これに対して固定式のシャワヘッドの他に、移動式のシャワヘッドホルダを提供し、この移動式のシャワヘッドホルダによって、バスルーム内の任意の場所にシャワヘッドを係止してシャワを使用できるようにすることを課題としている。
【課題を解決するための手段】
【０００５】
上記課題を解決するための本発明の移動式のシャワヘッドホルダは、バスルーム１２内で固定場所を移動可能に載置されるベース１と、該ベース１に取り付けられ、シャワヘッド９が着脱自在に装着されるホルダ４とを備え、シャワヘッド９から湯水を噴出させた際に、湯水の反力に対して上記ベース１の移動を規制する固定手段を備えてなることを第１の特徴としている。
【０００６】
第２に、ホルダ４をベース１に対して上下揺動自在に取り付け、ホルダ４側とベース１側との間に、ホルダ４の揺動位置を位置決めする揺動位置決め手段を設けたことを特徴としている。
【０００７】
第３に、ホルダ４をベース１に対して旋回可能に取り付け、ホルダ４側とベース１側との間に、ホルダ４の旋回位置を位置決めする旋回位置決め手段を設けたことを特徴としている。
【０００８】
第４に、ベース１とホルダ４のユニットが、湯を張った浴槽１１内に、浴槽１１の底面にベース１が接するように沈む重量を備え、固定手段が浴槽１１内においてシャワヘッド９から湯水を噴出させた際に上記ベース１の移動を規制する手段であることを特徴としている。
【発明の効果】
【０００９】
以上のように構成される本発明の構造によると、本シャワヘッドホルダを浴槽の上面や洗い場の床面等に載置することによって、シャワヘッドを浴槽の上面や洗い場の床面等に固定位置を移動可能に任意に設置することができる。固定手段によってシャワヘッドから湯水を噴出させてもベースが設置位置から移動することはないため、浴槽の上面や洗い場の床面等に設置されたシャワヘッドから湯水を噴出させてシャワを使用することができ、シャワの使用方法のバリエーションが増加するという利点がある。
【００１０】
またホルダをベースに対して上下揺動自在に取り付け、ホルダ側とベース側との間に、ホルダの揺動位置を位置決めする揺動位置決め手段を設けたり、ホルダをベースに対して旋回可能に取り付け、ホルダ側とベース側との間に、ホルダの旋回位置を位置決めする旋回位置決め手段を設けることによって、湯や水の噴出角度や噴出方向を調節することができ、シャワの使用方法のバリエーションを更に増加させることができるという効果がある。
【００１１】
ベースとホルダのユニットを、湯を張った浴槽内に、浴槽の底面にベースが接するように沈む重量を備えたものとし、固定手段を浴槽１１内においてシャワヘッド９から湯水を噴出させた際に上記ベース１の移動を規制する手段とすることによって、シャワヘッドを浴槽内に沈めて設置することができる。これにより湯を張った浴槽内でシャワから水や湯を噴出させることができ、ジェットバスやジャグジのように使用することができる。
【発明を実施するための最良の形態】
【００１２】
図１は本発明のシャワヘッドホルダＡの斜視図である。本シャワヘッドホルダＡは、プレート状のベース板１を備えている。該ベース板１の裏面には、滑り止めのゴム板２が貼着されている。ベース板１の上面には、Ｕ字状の断面を有するブラケット３が旋回自在に設けられている。
【００１３】
ブラケット３とベース板１との間には、図示しないクリック機構が設けられている。該クリック機構によって、ブラケット３はベース板１に対して所定の角度毎に固定的に位置決めされながら旋回する。クリック機構がホルダ４の旋回位置を位置決めする旋回位置決め手段となっている。クリック機構は従来公知であるため、詳細については割愛する。
【００１４】
ブラケット３の両側面３ａ，３ｂの間には、従来公知のシャワヘッドを挿抜自在に収容保持するホルダ４が設けられている。図２に示されるように、ホルダ４は、シャワヘッドを挿入する挿入部６の軸心に対して垂直に交差する支軸７によって、ブラケット３の両側面３ａ，３ｂに揺動自在に軸支されている。
【００１５】
支軸７はブラケット３の外側からホルダ４の周壁に挿入され、ホルダ４に螺合される。ブラケット３とホルダ４との間には、ライナ８が設けられている。支軸７の締め込みに応じてライナ８とブラケット３及びホルダ４との間の摩擦力が調節される。該摩擦力により通常ホルダ４はブラケット３に対して揺動方向に位置決めされている。
【００１６】
ホルダ４に対して、ホルダ４を揺動させる方向に、上記摩擦力を越える力をかけることによってホルダ４はブラケット３に対して揺動する。上記摩擦力は、図３に示されるように、ホルダ４にシャワヘッド９を挿入することによってホルダ４が揺動することがない程度に設定されている。以上のようにホルダ４の揺動位置を位置決めする揺動位置決め手段が構成されている。
【００１７】
本シャワヘッドホルダＡは、バスルーム内における任意の場所に載置することができる。載置位置は、使用者が任意に選択することができるが、シャワヘッドホルダＡが滑り落ちない程度の角度の面に載置することが望ましい。通常は水平面、あるいは水平から僅かに傾斜した程度の角度の面、例えば図４に示されるようなバスタブ１１の上面や、バスルーム１２の床面１３に載置する。
【００１８】
本シャワヘッドホルダＡは、シャワヘッド９を装着した状態で、任意の場所に載置した際に、シャワヘッド９に接続されているホース１４が、極端に屈曲したり、シャワヘッドホルダＡを浮き上がらせたりしてシャワヘッドホルダＡの載置を妨げることがない程度の高さにホルダ４を位置させることが望ましい。
【００１９】
このため本実施形態においては、ベース板１が105x105mmの平面視で正方形をなし、全高が130mm程度とコンパクトなサイズとなっている。ホルダ４は、揺動軸心のベース板１の底面からの高さが105mm程度となる高さに取り付けられている。なおシャワヘッドホルダＡにシャワヘッド９を装着した場合に、ホース１４が通過する通過スペースをベース板１側に形成することもできる。これにより本シャワヘッドホルダＡを更にコンパクトに構成することもできる。
【００２０】
本シャワヘッドホルダＡは、ベース板１，ブラケット３，ホルダ４が金属製であり、図４に示されるように、湯を張ったバスタブ１１内に置くと沈みバスタブ１１の底面に接地する程度の重量を備えている。またゴム板２は、ホルダ４にシャワヘッド９を装着し、シャワヘッド９から湯又は水を噴出させた状態で、湯を張ったバスタブ１１内にシャワヘッドホルダＡを沈めても、シャワヘッドホルダＡが浮き上がったり、移動したりすることがない程度の摩擦係数を有している。
【００２１】
従ってバスルーム内のいかなる場所に本シャワヘッドホルダＡを設置し、シャワヘッド９を装着して、シャワヘッド９から湯又は水を噴出させても、シャワヘッドホルダＡの設置は安定しており、水や湯の勢いによって移動するようなことはない。ベース板１，ブラケット３，ホルダ４のユニットの重量とゴム板２とによって、湯水の反力に対してベース１の移動を規制する固定手段が構成されている。
【００２２】
図５に示されるように、ホルダ４内に従来公知の磁気により流体を活性化する磁気活水装置１５を埋め込むことができる。図５に示されるように、磁力線がホルダ４におけるシャワヘッド９を挿入する挿入部６を通過するように磁気活水装置１５を設けることによって、挿入部６に装着されたシャワヘッド９から噴出される湯や水を活性化することができる。
【００２３】
本シャワヘッドホルダＡは上記構造となっており、図４に示されるように、バスルーム１２の床面１３上や、バスタブ１１の上面等にベース板１（裏面のゴム板２）が接するように載置することができる。例えばバスルーム１２の床面１３に本シャワヘッドホルダＡを載置することによって、シャワの湯又は水を下方から使用者に向けて噴出させることができる。下方からの湯又は水によって身体を洗うことができる。
【００２４】
図４に示されるように、本シャワヘッドホルダＡをバスタブ１１の上面に載置することによって、バスタブ１１の上面高さ程度の位置から、バスルーム１２の床面１３上にいる人や、バスタブ１１内で湯につかっている人に向けて湯又は水を噴出させることができる。これにより例えば「打たせ湯」のようなシャワを浴びることも可能となる。
【００２５】
一方本シャワヘッドホルダＡは、前述のように湯を張ったバスタブ内に沈めて使用することもできる。図６に示されるように、本シャワヘッドホルダＡをバスタブ１６内に沈め、シャワヘッド９を装着し、シャワヘッド９から湯又は水を噴出させることにより、バスタブ１６内で湯につかっている人１７に対して、シャワをジェットバスやジャグジーバスのように湯を噴出させて使用することが可能となる。
【図面の簡単な説明】
【００２６】
【図１】シャワヘッドホルダの斜視図である。
【図２】シャワヘッドホルダの正面図である。
【図３】シャワヘッドが装着された状態のシャワヘッドホルダの斜視図である。
【図４】シャワヘッドホルダを載置した状態のバスルーム内の斜視図である。
【図５】磁気活水装置が埋め込まれたシャワヘッドホルダのブラケットの右側面を省略した右側面図である。
【図６】シャワヘッドホルダをバスタブ内に沈めての使用例を示す側面図である。
【符号の説明】
【００２７】
１    ベース板（ベース）
４    ホルダ    
９    シャワヘッド
１１  バスタブ（浴槽）
１２  バスルーム
【図１】
2007146364.tif 000003
【図２】
2007146364.tif 000004
【図３】
2007146364.tif 000005
【図４】
2007146364.tif 000006
【図５】
2007146364.tif 000007
【図６】
2007146364.tif 000008